(57)【特許請求の範囲】
【請求項１】
板状体と、
当該板状体の内部に備えられ、かつ、その双方の幅広面に向けて光を発する発光素子と、
前記板状体の一方の幅広面である第１面に対応して備えられた視差生成光学素子と、
前記板状体の少なくとも一部と物理的に連結し、前記板状体を収納可能な容積をもつ収納空間を備える筐体と、
前記収納空間に収納された前記板状体の前記第１又は第２面に対向するように光吸収部材と、
を備え、
前記板状体の姿勢の変更により、
その第１面が所定の方向に向くことで、前記視差生成光学素子を通過した光を当該所定の方向に進行させ、又は、
前記第１面の裏面たる第２面が前記所定の方向に向くことで、前記視差生成光学素子を通過しない光を当該所定の方向に進行させる、
ことを特徴とする発光装置。
【請求項２】
前記発光素子は複数存在し、
これら複数の発光素子によって、
前記第１面を介しては３次元画像が表示され、
前記第２面を介しては２次元画像が表示される、
ことを特徴とする請求項１に記載の発光装置。
【請求項３】
前記板状体を前記筐体に対して回動可能に連結する連結手段を更に備え、
前記板状体の姿勢の変更は、当該板状体の回動による、
ことを特徴とする請求項１又は２に記載の発光装置。
【請求項４】
前記板状体は平面視して矩形状を含み、
前記連結手段は、
前記板状体の一辺に沿い、かつ、当該一辺を軸として回動可能な第１回動軸を含み、
前記板状体の姿勢の変更は、前記第１回動軸の回動による、
ことを特徴とする請求項３に記載の発光装置。
【請求項５】
前記連結手段は、
前記第１回動軸と交わり、当該第１回動軸とは独立に回動可能な第２回動軸を更に含み、
前記板状体の姿勢の変更は、前記第２回動軸及び前記第１回動軸の少なくとも一方の回動による、
ことを特徴とする請求項４に記載の発光装置。
【請求項６】
前記光吸収部材は、
前記収納空間を形作る壁面の少なくとも一部に備えられる、
ことを特徴とする請求項１乃至５のいずれか一に記載の発光装置。
【請求項７】
前記筐体は、
前記収納空間に収納された前記板状体の前記第１又は第２面を外界に曝し、又は、外界から隠す、カバー部材を更に備え、
前記光吸収部材は、
前記カバー部材における前記第１面又は前記第２面と対向可能な面に備えられる、
ことを特徴とする請求項１乃至５のいずれか一に記載の発光装置。
【請求項８】
前記光吸収部材は、
前記第１面に対向するように備えられる、
ことを特徴とする請求項１乃至７のいずれか一項に記載の発光装置。
【請求項９】
前記発光素子は複数存在し、
前記第１又は第２面に所定の内容をもつ画像を表示するため、これら複数の発光素子を制御する制御手段を更に備え、
当該制御手段は、
前記板状体の姿勢の変更にかかわらず、前記第１又は第２面に同一内容の画像を表示させるように、前記複数の発光素子を制御する、
ことを特徴とする請求項１乃至８のいずれか一に記載の発光装置。
【請求項１０】
前記制御手段は、
前記複数の発光素子の各々に、その発光強度を指定するデータ信号を供給するデータ信号供給回路と、
前記第１面に画像を表示する場合における前記データ信号たる第１データ信号、及び、前記第２面に画像を表示する場合における前記データ信号たる第２データ信号、間に係る切換を行う切換回路と、
を含むことを特徴とする請求項９に記載の発光装置。
【請求項１１】
前記切換回路は、前記板状体の姿勢の変更に応じて、前記切換を自動的に行う、
ことを特徴とする請求項１０に記載の発光装置。
【請求項１２】
前記切換回路は、前記切換に係る、ユーザの手動操作のための手動スイッチを含む、
ことを特徴とする請求項１０又は１１に記載の発光装置。
【請求項１３】
前記視差生成光学素子は、レンチキュラレンズを含む、
ことを特徴とする請求項１乃至１２のいずれか一項に記載の発光装置。
【請求項１４】
前記視差生成光学素子は、パララックス・バリヤを含む、
ことを特徴とする請求項１乃至１３のいずれか一項に記載の発光装置。
【請求項１５】
前記発光素子は、有機ＥＬ素子を含む、
ことを特徴とする請求項１乃至１４のいずれか一項に記載の発光装置。
【発明の詳細な説明】
【技術分野】
【０００１】
本発明は、各種発光現象を利用した発光装置に関する。
【背景技術】
【０００２】
従来、２つの表示範囲のそれぞれに異なる画像を表示することで、視認者に立体画像を認識させることの可能な液晶表示装置、有機ＥＬ装置等の電気光学装置（以下、「立体画像表示装置」ということがある。）が提案されている。これは、前記２つの表示範囲それぞれを、視認者の右眼及び左眼に対応させるとともに、両表示範囲に若干異なる内容の右眼用画像及び左眼用画像を表示することで視差を生じさせ、これにより当該視認者に立体感を感じさせることが可能な画像表示装置である。
このような立体画像表示装置としては、例えば特許文献１及び２に開示されているようなものが知られている。
【特許文献１】特開平３−１１９８８９号公報
【特許文献２】特開平８−３１３７６号公報
【発明の開示】
【発明が解決しようとする課題】
【０００３】
前述の特許文献１は、「パララックス・バリヤ方式によるメガネ不要」（特許文献１・第２頁右上欄第３行目）の立体画像表示装置を開示する。特許文献１は特に、「パララックス・バリヤ・ストライプを電子制御」することに特徴がある（特許文献１の請求項１）。特許文献１は、これにより、３次元画像（立体画像）の表示も、２次元画像の表示も、１つの画像表示装置内で実現可能になるという（特許文献１・第３頁右下欄第７行〜第１５行目）。
また、特許文献２も、特許文献１と同様、パララックス・バリヤ方式による立体画像表示装置を開示するが、特に、画像表示のための光源たる「平面型蛍光ランプの前面側のガラスの裏面に紫外線反射膜を形成」し、さらに、その上に「蛍光体」を形成することに特徴がある（以上の「」内は、特許文献２の〔請求項１〕より）。特許文献２は、これにより、表示映像を「明るく且つ鮮明にする」（特許文献２の〔０００７〕）ことができるとする。
【０００４】
上述の特許文献１及び２は、２次元画像の表示と３次元画像の表示とを、１つの装置内で実現することについての意識をもつ（特許文献１については、前述の引用箇所等から明らか。また、特許文献２については〔０００３〕等参照）。しかしながら、これらの文献は、いずれにしても、パララックス・バリヤ方式のみを念頭に置き、その他の立体画像表示手法に関しては何ら関心を払わない。さらには、当該のその他の手法と当該の開示技術（発明）との間には関係がないことを積極的に主張する（特許文献１に関しては特に、第２頁右下欄第１２行目以降参照）。
しかし、立体画像表示手法には、パララックス・バリヤ方式のほかにも、インテグラル・フォトグラフィ方式、あるいはその一特化態様ともいえるレンチキュラ方式、等々がある。これらの立体画像表示手法においても、３次元画像の表示とともに、２次元画像の表示が可能であれば、好適この上ないことは間違いない。
【０００５】
また、仮に、パララックス・バリヤ方式を念頭に置くとしても、当該方式を採用した装置で、２次元画像表示を行うことには問題がある。というのも、立体画像表示を行わない場合におけるパララックス・バリヤは、単に透過光を減衰させるために存在するかの如き状態におかれ、２次元画像の明るさを低減させてしまうからである（特許文献２は、まさにこのような問題点を解消するための一方策を提案する。）。
さらに、前記特許文献１及び２のように、電子制御式のパララックス・バリヤを採用すると、コストを増大させるという問題もある。
【０００６】
本発明は、上述した事情に鑑みてなされたものであり、前述した課題の全部又は一部を解決することの可能な発光装置を提供することを課題とする。
【課題を解決するための手段】
【０００７】
本発明に係る発光装置は、上述した課題を解決するため、板状体と、当該板状体の内部に備えられ、かつ、その双方の幅広面に向けて光を発する発光素子と、前記板状体の一方の幅広面である第１面に対応して備えられた視差生成光学素子と、前記板状体の少なくとも一部と物理的に連結し、前記板状体を収納可能な容積をもつ収納空間を備える筐体と、前記収納空間に収納された前記板状体の前記第１又は第２面に対向するように光吸収部材と、を備え、前記板状体の姿勢の変更により、その第１面が所定の方向に向くことで、前記視差生成光学素子を通過した光を当該所定の方向に進行させ、又は、前記第１面の裏面たる第２面が前記所定の方向に向くことで、前記視差生成光学素子を通過しない光を当該所定の方向に進行させる。
【０００８】
本発明において、まず、「視差生成光学素子」は、例えば、２つの表示範囲それぞれに、右眼用画像及び左眼用画像を表示可能な素子である。具体的には例えば、パララックス・バリヤやレンチキュラレンズ、等々が含まれる。これにより、発光素子を発し当該視差生成光学素子を通過した光は、例えば、立体画像ないしは３次元画像、等を構成し得る。
そして、本発明では、このような視差生成光学素子が、板状体の第１面に対応して備えられることから、前記３次元画像等は、当該第１面が所定の方向に向くとき、即ち例えば、視認者が当該第１面に対向するときに視認され得る。一方、第１面の裏面たる第２面が所定の方向に向くとき、即ち例えば、当該第２面に視認者が対向するときには、発光素子を発した光は視差生成光学素子を「通過しない」ので、２次元画像が視認され得る。視認者が第１面及び第２面のいずれに対向することになるかは、「板状体の姿勢の変更」による。
このようにして、本発明では、３次元画像等の表示、及び、２次元画像表示といった異種の画像表示の双方を、１個の装置内で実現することができる。
ちなみに、本発明は、これら異種画像を表示するにあたって、立体画像表示方式を基本的に選ばない。つまり、どのような方式であっても、３次元及び２次元画像の双方表示が可能なのである。
また、本発明では、異なる面で異種の画像を表示するようになっているので、上述した従来技術のように、いずれかの画像を表示する場合に、その光量が極端に低下するということもない。さらに、仮に、本発明において前記パララックス・バリヤを採用するにしても、
それにつき電子制御等が必要となるわけではないから、コスト増大ももたらされない。
さらに、筐体内の収納空間に板状体が収められることとなって、これら両者はいわば“一体的な外観”を呈することになる。これは、意匠上スマートな印象を与え得るとか、持ち運び上便利である、等々の様々な利点の創出に貢献する。
また、収納空間に納められた板状体の、例えば第１面、に対向するように光吸収部材が備えられるので、当該第１面から発した光は、光吸収部材で吸収される。したがって、この場合、これとは反対の第２面を視認するとき、第１面から発した光がいわば外乱要因となり、あるいは邪魔になったりするようなことがない。
【０００９】
なお、本発明は、それに係る発光装置が、３次元画像表示の用途に供されない場合を含む。「視差生成光学素子」は、３次元画像を表示するためだけでなく、前記２つの表示範囲に対応する２人の視認者に、固有の内容をもつ画像を表示するために用いられ得るからである。
【００１０】
この発明の発光装置では、前記発光素子は複数存在し、これら複数の発光素子によって、前記第１面を介しては３次元画像が表示され、前記第２面を介しては２次元画像が表示される、ように構成してもよい。
この態様によれば、複数の発光素子の各々の点灯・消灯等を通じて画像を表示可能である。そして、この画像には、３次元画像及び２次元画像が含まれ、本態様は、これら少なくとも２種の画像の表示を、１個の装置内で実現可能である。
【００１１】
また、本発明の発光装置では、前記板状体を前記筐体に対して回動可能に連結する連結手段を更に備え、前記板状体の姿勢の変更は、当該板状体の回動による、ように構成してもよい。
この態様によれば、板状体の姿勢の変更が好適に、あるいは容易に行われる。また、本態様にいう「連結手段」の利用は、板状体を筐体に物理的に連結しつつ、当該板状体の姿勢変更を可能とするにあたって、本発明の最好適な一例を提供する。
【００１２】
この態様では、前記板状体は平面視して矩形状を含み、前記連結手段は、前記板状体の一辺に沿い、かつ、当該一辺を軸として回動可能な第１回動軸を含み、前記板状体の姿勢の変更は、前記第１回動軸の回動による、ように構成してもよい。
この態様によれば、「連結手段」が好適な一具体例をとることになり、したがって、板状体の筐体への連結も、また板状体の姿勢変更も、前述にも増して好適になる。特に、本態様の場合、第１面が現れている状態において、第１回動軸を回動させれば、第２面が現れる、という構成を容易に想定可能あるいは構築可能である。当該構成は、これら第１及び第２面で異種画像を表示させるという本発明の前述の趣旨に最も合致することを考えると、本態様の優位性は際立つ。
【００１３】
さらに、この態様では、前記連結手段は、前記第１回動軸と交わり、当該第１回動軸とは独立に回動可能な第２回動軸を更に含み、前記板状体の姿勢の変更は、前記第２回動軸及び前記第１回動軸の少なくとも一方の回動による、ように構成してもよい。
この態様によれば、「連結手段」が更に好適な一具体例をとることになり、したがって、板状体の筐体への連結も、また板状体の姿勢変更も、前述にも増して更に好適になる。特に、本態様の場合、板状体の姿勢変更に関する自由度は非常に増大するので、例えば、本発明に係る発光装置の設置姿勢が、３次元画像等を視認するために、ある所定の状態に維持されることが強制されるとか、あるいは、視認者に無理な姿勢を強いるとか、といった不具合は殆ど発生しない。
【００１６】
この態様では、前記光吸収部材は、前記収納空間を形作る壁面の少なくとも一部に備えられる、ように構成してもよい。
この態様によれば、「光吸収部材」のための最好適な設置場所の一例が提供される。本態様の場合、例えば第１面が光吸収部材と対向するのであれば、第２面の視認は、筐体と板状体との前記一体的な外観を保持したまま行われうる。
【００１７】
また、「光吸収部材」を備える態様では、前記筐体は、前記収納空間に収納された前記板状体の前記第１又は第２面を外界に曝し、又は、外界から隠す、カバー部材を更に備え、前記光吸収部材は、前記カバー部材における前記第１面又は前記第２面と対向可能な面に備えられる、ように構成してもよい。
この態様によれば、「光吸収部材」のための最好適な設置場所の、前記とは別の一例が提供される。この場合、「カバー部材」の構造ないし設置態様等が適当に設定されるならば、第１面の視認も、第２面の視認も、前記一体的な外観を保持したまま行なわれうる。
【００１８】
さらに、「光吸収部材」を備える態様では、前記光吸収部材は、前記第１面に対向するように備えられる、ように構成してもよい。
この態様によれば、光吸収部材は第１面に対向するので、第２面の視認が、第１面から発した光によって邪魔されない。そして、上述のように、第１面は、視差生成光学素子の具備に対応する面であるので３次元画像が表示されえ、第２面では２次元画像が表示されうることから、結局、本態様では、いわば、２次元画像が光吸収部材の恩恵を受けることになる。
【００１９】
このことは、以下のような効果をもたらしうる。
すなわち、例えば、前述のように、光吸収部材が、収納空間の壁面に設置されるケースを念頭に置くと、板状体と筐体との外観上の一体性が保持されるときには、２次元画像が視認され、かつ、この画像の視認に第１面から発した光は邪魔とならない。
一方、３次元画像が視認されるときには、「板状体の姿勢の変更」が必要になり、かつ、本態様では第１面が光吸収部材と対向するのだから、いま念頭においているケースにおいては、板状体と筐体との外観上の一体性が“崩れる”と考えるのが自然となる。ここで“崩れる”とはいっても、何も否定的ニュアンスが込められているわけではない。むしろ、３次元画像の視認にあたっては、前記一体性が保持されるよりも好ましいのである。というのも、３次元画像の視認にあたっては、視認者が画像表示面にだけ注視できるような状況が作り出されることが好ましいからである（３次元画像の周囲にその他の被視認物体等が存在すると、視認者は、その存在を無視しながら画像表示面に注視する、というような、一種不自然な視認方法を強いられることになりかねない。）。前記一体性が“崩れる”なら、「板状体」の周囲には、そのような被視認物体等が存在しない状況が作られる可能性が極めて大きい。
以上をまとめると、本態様では、２次元画像が視認されるとき、当該画像は、第１面から発した光の邪魔を受けず、当該２次元画像はきれいに視認され得ることになる一方、３次元画像が視認されるときは、板状体だけが見つめられるような状況が好適に作出され得ることから、好適な３次元画像の視認がなされ得ることになる。
このように、光吸収部材が「第１面」に対向するように設置されるほうが、そうでない場合に比べて、有意義な効果を生む余地が大きいのである。
【００２０】
また、本発明の発光装置では、前記発光素子は複数存在し、前記第１又は第２面に所定の内容をもつ画像を表示するため、これら複数の発光素子を制御する制御手段を更に備え、当該制御手段は、前記板状体の姿勢の変更にかかわらず、前記第１又は第２面に同一内容の画像を表示させるように、前記複数の発光素子を制御する、ように構成してもよい。
この態様によれば、視認者は、第１面に対向しようと、第２面に対向しようと、同一内容の画像を視認することができる。なお、本態様にいう「同一内容の画像を表示」とは、例えば、山があり海がある風景画像があるとして、第１面にそれが表示されるとき、第２面にもそれが表示される、ということを意味する。この場合、当該風景画像が、第１面では３次元化され、第２面では２次元化されうることがあるのは、本発明の趣旨からして当然のことであって、このような相違を指して、「同一内容」ではない、とはいえない。
なお、本態様にいう「制御手段」は、いま述べた「同一内容」画像を表示する機能に加えて、第１面及び第２面それぞれに“異なる内容”の画像を表示するために、複数の発光素子を制御する、といった機能を当然持ちうる。
【００２１】
この態様では、前記制御手段は、前記複数の発光素子の各々に、その発光強度を指定するデータ信号を供給するデータ信号供給回路と、前記第１面に画像を表示する場合における前記データ信号たる第１データ信号、及び、前記第２面に画像を表示する場合における前記データ信号たる第２データ信号、間に係る切換を行う切換回路と、を含む、ように構成してもよい。
この態様によれば、前述の「同一内容の画像」の表示が好適に行われる。
なお、本態様に関するより詳細な一具体化例（とりわけ、第１及び第２データ信号の内実等）については、例えば、後述する実施形態中の、図７及び図８に関する説明を参照されたい。
【００２２】
この態様では、前記切換回路は、前記板状体の姿勢の変更に応じて、前記切換を自動的に行う、ように構成してもよい。
この態様によれば、前記切換が、板状体の姿勢の変更に応じて自動的に行われることから、ユーザの手を煩わせることがない。
【００２３】
また、「切換回路」を含む態様では、前記切換回路は、前記切換に係る、ユーザの手動操作のための手動スイッチを含む、ように構成してもよい。
この態様によれば、ユーザの希望するときに、前記の切換が行われうることになる。この場合、手動スイッチに対する操作があるのであれば、板状体の姿勢の変更にかかわらず、前記切換が行われてよい。
【００２４】
また、本発明の発光装置では、前記視差生成光学素子は、レンチキュラレンズを含む、ように構成してもよい。
この態様によれば、視差生成光学素子がレンチキュラレンズを含むので、比較的簡易かつ安価に立体画像表示を行うことができる。なお、既に述べたように、本発明は、かかる方式を含め、基本的に、立体画像表示方式を選ばずに適用可能であるが、本態様は、そのことの表れの１つということができる。
【００２５】
また、本発明の発光装置では、前記視差生成光学素子は、パララックス・バリヤを含む、ように構成してもよい。
この態様によれば、視差生成光学素子がパララックス・バリヤを含むので、比較的簡易かつ安価に立体画像表示を行うことができる。なお、既に述べたように、本発明は、かかる方式を含め、基本的に、立体画像表示方式を選ばずに適用可能であるが、本態様は、そのことの表れの１つということができる。
【００２６】
また、本発明の発光装置では、前記発光素子は、有機ＥＬ（electro luminescent）素子を含む、ように構成してもよい。
この態様によれば、発光素子が有機ＥＬ素子を含むので、板状体の「双方の幅広面に向けて光を発する」発光素子が好適に構成され得る。なお、本態様に関するより詳細な一具体化例については、後述する実施形態における説明を参照されたい。
【発明を実施するための最良の形態】
【００２７】
以下では、本発明に係る実施の形態について図１乃至図５を参照しながら説明する。なお、これら図１乃至図５並びに以下で参照するその他の各図面においては、各層や各部材を図面上で認識可能な程度の大きさとするため、各層毎や各部材毎に縮尺を異ならせてある場合がある。
【００２８】
本実施形態に係る有機ＥＬ装置（発光装置）Ａｐ１は、図１に示すように、筐体Ｍ０、操作部Ｍ１、及び有機ＥＬパネル１００を備えている。このうち筐体Ｍ０は、図示するように、概略、厚さの比較的小さい直方体形状をもつ。この筐体Ｍ０の内部には、有機ＥＬパネル１００のほか、当該有機ＥＬパネル１００等へ接続される各種の電気配線、制御基板、電池等の電源、あるいは通信用アンテナ、更には後述する駆動回路５３、等々の各種の要素が収められる。
操作部Ｍ１は、筐体Ｍ０の表面の一部に備えられる。この操作部Ｍ１の具体的態様はさまざまであってよい。すなわち、十字キー等を含む各種のキー、ボタン、タッチパネルないしタッチパッド、トラックボール、等々である。図１において、操作部Ｍ１は、簡単に、四角形でもって表現されている。
【００２９】
有機ＥＬ装置Ａｐ１は、図１及び図２に示すように、有機ＥＬパネル１００が、筐体Ｍ０の一部として作り込まれた収納空間Ｍ３の内部に収められることによって、全体として一体的な外観を呈する。この収納空間Ｍ３の容積は、図２に示すように、当該有機ＥＬパネル１００の容積とほぼ同じであり、前者が後者をきっちりと収めるのに適切な関係となっている（したがって、両容積が「ほぼ同じ」とは言っても、収納空間Ｍ３の容積の方が、必然的に若干大きい。）。
また、この収納空間Ｍ３の底には、図２に示すように、光吸収部材７０が備えられている。その配置態様から明らかなように、この光吸収部材７０は、後に詳述する、有機ＥＬパネル１００の３次元画像表示面１２０に対向する。これにより、光吸収部材７０は、当該３次元画像表示面１２０から発した光を吸収する。このような光吸収部材７０は、例えば、適当な黒色塗料を塗布した硬性又は軟性の樹脂、あるいは、黒色の布、等々から作られる。
【００３０】
有機ＥＬパネル１００は、図３あるいは図４に示すような構成をもつ。図３において、有機ＥＬパネル１００は、素子基板１０、封止基板２０、及びレンチキュラレンズ４０等から構成されている。このうち素子基板１０及び封止基板２０は、例えばガラスや石英、プラスチックなどの透光性材料で作られる。また、これら素子基板１０及び封止基板２０は、図４に示すように、その各々の周縁部分において接着剤ＪＢによって接着されている。この接着剤ＪＢは、素子基板１０及び封止基板２０によって挟まれた空間内に水分、あるいは酸素等の進入を防止する役割をも担う。
なお、このような素子基板１０及び封止基板２０の一体構造は、本発明に言う「板状体」の一具体例に該当する。
【００３１】
素子基板１０は、図３あるいは図４に示すように、その基板面の上に（図中観点では「下に」）、マトリクス状配列に従って並ぶ有機ＥＬ素子８を備える。また、素子基板１０上には、図５に概念的に示すように、前記マトリクス状配列の行方向に沿って走査線３が、列方向に沿ってデータ線６が、それぞれ形成されている。走査線３は走査線駆動回路１０３に接続され、データ線６はデータ信号供給回路１０６に接続される（これらも素子基板１０上に形成される。）。さらに、素子基板１０上には、スイッチング素子、あるいは有機ＥＬ素子８への電流供給源として機能するＴＦＴ（Thin Film Transistor）や、走査線３、データ線６及び有機ＥＬ素子８等の素子基板１０上における好適な配置を実現し、あるいは、これら各要素間の短絡を防止するための、層間絶縁膜、等が備えられる（いずれも不図示）。
【００３２】
有機ＥＬ素子（発光素子）８は、図４に示すような積層構造を備える。この積層構造は、画素電極１３、発光機能層１８、及び対向電極５からなる。
【００３３】
画素電極１３は、図３あるいは図４に示すように、素子基板１０上（図中観点では「下」）に、マトリクス状に配列するように形成されている。有機ＥＬ素子８がマトリクス状に配列されているということは、このように画素電極１３がマトリクス状に配列されているということに相応する（図３及び図４参照）。これら各画素電極１３間には隔壁３４０が形成されており、各々の画素領域を画定する。隔壁３４０は、例えば絶縁性の透明樹脂材料（フッ素系樹脂、アクリル樹脂、エポキシ樹脂、あるいはポリイミドなど）から作られる。
画素電極１３は、例えば、前記ＴＦＴ等を介して供給される電流を、発光機能層１８に印加可能である。
このような画素電極１３は、例えばＩＴＯ（Indium Tin Oxide）等の透光性かつ導電性の材料から作られている。
【００３４】
発光機能層１８は、図４に示すように、画素電極１３の上に（図中観点では「下に」）形成されている。この発光機能層１８は、少なくとも有機発光層を含み、有機発光層は正孔と電子の再結合現象に基づき発光する有機ＥＬ物質から構成されている。この有機ＥＬ物質が例えば高分子材料である場合、当該有機ＥＬ物質は、例えば液滴塗布法（インクジェット法）により、前記隔壁３４０により区画された各空間内のみに（即ち、画素ごとに）供給される。
このように、隔壁３４０により区画された空間のみに有機ＥＬ物質を供給する態様によると、図４に示すように、発光機能層１８を、色毎に、区別して設けることができる。図３及び図４では、図中Ｘ方向に沿って、赤色光、緑色光及び青色光それぞれ専用の有機ＥＬ物質を含む発光機能層１８Ｒ，１８Ｇ及び１８Ｂが、この順に形成されている例が示されている。図中Ｙ方向に沿っては、発光機能層１８Ｒのみが並ぶ列、発光機能層１８Ｇのみが並ぶ列、及び発光機能層１８Ｂのみが並ぶ列、がそれぞれ列設されている。有機ＥＬ素子８は、これら発光機能層１８Ｒ，１８Ｇ及び１８Ｂの区別に従って、赤色光を発する有機ＥＬ素子８Ｒ，緑色光を発する有機ＥＬ素子８Ｇ（図４参照）及び青色光を発する有機ＥＬ素子８Ｂ，からなる。
なお、発光機能層１８を構成する他の層として、電子ブロック層、正孔注入層、正孔輸送層、電子輸送層、電子注入層及び正孔ブロック層の一部又は全部を備えていてもよい。
なおまた、本実施形態の説明及び図面上の表記では、“発光機能層”を指示する符号“１８”は、前述の符号“１８Ｒ”，“１８Ｇ”及び“１８Ｂ”の全体を代表する場合に使用している。符号“８”についても、上述したところから明らかなように同様である（符号“８”は、符号“８Ｒ”，“８Ｇ”及び“８Ｂ”の全体を代表する場合に使用する。）。
【００３５】
対向電極５は、図４に示すように、平面視して、素子基板１０の全面を覆うかのような矩形状（その内部に特別な開口、間隙等をもたない、いわゆるベタ状）に形成される。つまり、対向電極５は、複数の画素電極１３に共通するように、隔壁３４０で画定された発光機能層１８の区域及び隔壁３４０の上に広がっている。
この対向電極５は、例えば、図示しない電源線に電気的に接続されて適当な電位（例えば、接地電位）に設定される。
このような対向電極５は、例えば、光が透過できる程度に極薄く成膜されたＣａやＭｇ等の金属薄膜、及び、当該金属薄膜の電気抵抗を下げるため当該金属薄膜の上に成膜されたＩＴＯ（Indium Tin Oxide）等の透光性かつ導電性の薄膜、等から作られている。
【００３６】
有機ＥＬ素子８は、以上述べた、画素電極１３、発光機能層１８及び対向電極５からなる構造を基礎として、発光する。すなわち、（ｉ）発光機能層１８に、陽極たる画素電極１３から正孔が、陰極たる対向電極５から電子が、それぞれ注入される、（ｉｉ）これらホール及び電子の再結合により励起子が生成される、（ｉｉｉ）この励起子が基底状態に遷移するときに、エネルギ放出、即ち発光現象が生じる、というようである。
ここで、本実施形態においては特に、素子基板１０も対向電極５も、上述のように透光性をもつので、発光機能層１８から発した光は、図４に示すように、図中上下方向のいずれに向かっても進行する。この場合、光ＬＰは、対向電極５及び封止基板２０を透過することで、あたかも２次元画像表示面１１０から外部に向けて出射するように進行し、光ＬＣは、画素電極１３及び素子基板１０を透過することで、あたかも３次元画像表示面１２０から外部に向けて出射するように進行する（図１乃至図３も参照。なお、光ＬＣは、素子基板１０のほか、すぐ後に述べるように、レンチキュラレンズ４０及びカバーガラスＣＧをも透過する。）。
要するに、本実施形態に係る有機ＥＬパネル１００は、いわゆるデュアルエミッション型である。
【００３７】
なお、図１乃至図４においては、例えば、図２と図３との間で、図中上下方向に関する関係が逆転していることに注意されたい（ちなみに、この「上下方向」の点に関して、図１は図２に同じ、図４は図３に同じ、であるので、例えば、図１と図４との間等でも、図中上下方向に関する関係は逆転している。）。
また、以下では、前述の２次元画像表示面１１０を「２Ｄ表示面１１０」と、３次元画像表示面１２０を「３Ｄ表示面１２０」と、それぞれ略す。
【００３８】
上述のほか、本実施形態の有機ＥＬパネル１００は、その３Ｄ表示面１２０に対応するようにレンチキュラレンズ４０を備えている。
レンチキュラレンズ４０は、図３、あるいは図４に示すように、その断面が概ね半円形状をもつ単体レンズ４２，４２，…の集合からなる。単体レンズ４２，４２，…の１個１個は、有機ＥＬ素子８の２列分に対応する幅をもち、かつ、列方向に沿って並ぶ各有機ＥＬ素子８の全体の長さに相当する長さをもつ。レンチキュラレンズ４０は、このように列方向に沿って長い単体レンズ４２，４２，…を、行方向に沿って複数並べた構造をもつ。
このようなレンチキュラレンズ４０は、例えばガラスや石英、プラスチックなどの透光性材料で作られる。
【００３９】
このレンチキュラレンズ４０によると、３次元画像表示が可能になる。例えば、図４中真ん中に示される単体レンズ４２に着目すると、当該単体レンズ４２の図中左側に入射する発光機能層１８Ｂからの光は、当該単体レンズ４２による屈折を受けて方向ＤＡに向かって進行し、図中右側に入射する発光機能層１８Ｇからの光は方向ＤＲに向かって進行する。このようにして、一定程度隔たった２つの表示範囲ＲＤ１及びＲＤ２のそれぞれに、その内容が若干異なる２つの画像が表示され得る（あるいは、適当な視差が設定され得る）ことになる。この場合、その２つの表示範囲ＲＤ１及びＲＤ２が、視認者の右眼及び左眼に対応し、かつ、前記２つの画像の内容が適切に設定されるなら、当該視認者は、立体感を感じることができる。
なお、本実施形態においては、発光機能層１８Ｒ，１８Ｇ及び１８Ｂの並び順に関連して、方向ＤＡに進む光に基づく画像は、図４でいえば、左端から順に、Ｒ，Ｂ，Ｇ，Ｒ，Ｂ，Ｇ，…という配列に基づく画像となるのに対して、方向ＤＲに進む光に基づく画像は、Ｇ，Ｒ，Ｂ，Ｇ，Ｒ，Ｂ，…という配列に基づく画像となることになる。
【００４０】
このレンチキュラレンズ４０に関連して、本実施形態の有機ＥＬパネル１００は、図４に示すように、カバーガラスＣＧを備えている（図３では不図示）。このカバーガラスＣＧは、その周縁部分に一定の高さをもつポールＣＧＰを備えることで、レンチキュラレンズ４０の図中上面と一定の距離を隔てて設置される。
これにより、レンチキュラレンズ４０の図中上面、即ちレンズ面を保護される。また、上述のように、カバーガラスＣＧとレンチキュラレンズ４０との間に一定の距離が設けられていれば、当該レンチキュラレンズ４０におけるレンズ作用の消失を招かないので好適である。
【００４１】
以上述べたような構成を備える有機ＥＬパネル１００は、図１あるいは図２に示すように、ヒンジ部Ｍ２を介して筐体Ｍ０に連結される。
ヒンジ部（連結手段）Ｍ２は、図２に示すように、回動軸Ｍ２１及びヒンジ・カバーＭ２２を備える。回動軸Ｍ２１は、筐体１０の一辺たる一短辺に沿い、かつ、当該一短辺を軸として回動可能である（図１及び図２中符号Ａｒ参照）。このような回動軸Ｍ２１は、例えば簡単には、外筒、及び、その内部に収納される内筒からなる構造をもつ（いずれも不図示）。この場合、外筒側に筐体Ｍ０が、内筒側に有機ＥＬパネル１００が、それぞれ固定的に連結されるなら、内筒が外筒の内周面と摺動しながら回動することによって、当該有機ＥＬパネル１００は、図２に示すように回動することが可能になる。ヒンジ・カバーＭ２２は、かかる有機ＥＬパネル１００の回動に伴って、図２に示すように回動する。
【００４２】
有機ＥＬパネル１００に係るこのような回動に応じて、当該有機ＥＬパネル１００は、視認者に対する関係において、その姿勢を変更する。より具体的には、有機ＥＬパネル１００が、筐体１０の収納空間Ｍ３内に収められているときには、当該有機ＥＬパネル１００の２Ｄ表示面１１０が視認者に対向することになり、有機ＥＬパネル１００が収納空間Ｍ３から離脱するときには、３Ｄ表示面１２０が視認者に対向することになる。この点に関しては、後に改めて詳しく述べる。
【００４３】
上述のほか、本実施形態の有機ＥＬ装置Ａｐ１は、前述した対向電極５と画素電極１３等に接続され、当該有機ＥＬパネル１００を駆動する駆動回路５３を備える。
この駆動回路５３は、前に図５を参照して説明した、走査線３に選択信号を供給する走査線駆動回路１０３、及び、データ線６にデータ信号を供給するデータ信号供給回路１０６を含む。走査線駆動回路１０３は、１つの画素行を単位として選択信号を発し、水平走査期間を規定する。データ信号供給回路１０６は、走査線駆動回路１０３によって選択された画素行に対して、有機ＥＬ素子８の発光強度を指定するデータ信号を供給する（即ち、当該行に位置する各画素にデータ信号を書き込む。）。最初の画素行に画像信号の供給を開始してから、最終の画素行に画像信号を供給するまでの時間が、垂直走査期間となる。
【００４４】
駆動回路５３はまた、表示面切換回路５４を含む。この表示面切換回路５４は、図５に示すように、切換部５４１、２次元画像表示用データ処理回路５４２、及び３次元画像表示用データ処理回路５４３を含む（以下、後二者を、それぞれ、「２Ｄ処理回路５４２」及び「３Ｄ処理回路５４３」と略す。）。
【００４５】
切換部５４１は、前述した有機ＥＬパネル１００の回動、ないしは当該有機ＥＬパネル１００の筐体１０に対する開閉動作に応じて、２Ｄ処理回路５４２及び３Ｄ処理回路５４３のいずれか一方を動作させる。本実施形態では特に、切換部５４１は、図１（あるいは、後に参照する図６）に示すように、ヒンジ部Ｍ２の近傍に備えられており、当該ヒンジ部Ｍ２の回転角度を自動的に検知する。これにより、切換部５４１は、ヒンジ部Ｍ２の回転角度の如何（即ち、有機ＥＬパネル１００の筐体Ｍ０に対する、いわば開き角度）に応じて、自動的に、２Ｄ処理回路５４２及び３Ｄ処理回路５４３のいずれか一方を動作させる。
【００４６】
２Ｄ処理回路５４２は、有機ＥＬパネル１００上の２Ｄ表示面１１０に、２次元画像を表示するためのデータ信号（本発明にいう「第２データ信号」の一例）の生成等を含む各種の処理を実行する。また、これに基づいて、データ信号供給回路１０６を動作させる。３Ｄ処理回路５４３は、有機ＥＬパネル１００上の３Ｄ表示面１２０に、３次元画像を表示するためのデータ信号（本発明にいう「第１データ信号」の一例）の生成等を含む各種の処理を実行する。また、これに基づいて、データ信号供給回路１０６を動作させる。
【００４７】
以下では、以上のような構成を備える有機ＥＬ装置Ａｐ１の動作ないし作用について、既に参照した図１乃至図５に加えて、図６乃至図８を参照しながら説明する。
本実施形態に係る有機ＥＬ装置Ａｐ１は、有機ＥＬパネル１００の姿勢に応じて、２次元画像、あるいは、３次元画像を表示する。まず、既に参照した図１に示すように、有機ＥＬパネル１００が、筐体Ｍ０の収納空間Ｍ３内に収められているときには、当該有機ＥＬパネル１００は２Ｄ表示面１１０において２次元画像を表示する。この場合、切換部５４１は、２Ｄ処理回路５４２の動作を選択し、データ信号供給回路１０６はそれに基づいて動作する。
この際、３Ｄ表示面１２０からも光ＬＣは発せられているが（図４参照）、当該の光ＬＣは、光吸収部材７０によって吸収される。したがって、この光ＬＣが、２次元画像を視認する視認者にとって、邪魔になるようなことはない。
【００４８】
他方、図１の状態から、ヒンジ部Ｍ２の回動によって、有機ＥＬパネル１００を回動させると、当該有機ＥＬパネル１００は、３Ｄ表示面１２０において３次元画像を表示する。以下その詳細を説明する。
まず、図１の状態において、有機ＥＬパネル１００の回動を開始させる。この場合、引っかけ孔１００Ａを利用するのが便利である。ユーザは、この引っかけ孔１００Ａに指等を入れ込み、有機ＥＬパネル１００の端部を持ち上げるようにしさえすれば、当該有機ＥＬパネル１００は、ヒンジ部Ｍ２を軸として簡単に回動し始める。
以後の様子は、図６に詳細に示されている。すなわち、図６（Ａ）は、未だ回動の途中の状態であるが、３Ｄ表示面１２０が既に外部に現れた状態が表現されている。図６（Ｂ）は、有機ＥＬパネル１００の回動が完了した状態が表現されている。
【００４９】
この図６（Ｂ）の回動完了の状態において、切換部５４１は、当該の状態を自動的に検知し、２Ｄ処理回路５４２に代えて、３Ｄ処理回路５４３の動作を選択する（図５参照）。これにより、３Ｄ処理回路５４３は、３次元画像表示用のデータ信号の生成処理等を実行する。ここで、３Ｄ処理回路５４３におけるデータ信号処理と、それ以前の２Ｄ処理回路５４２のそれとにおいては、以下のような事情の相違の存在が踏まえられる。
【００５０】
すなわち、図６、あるいは図１、図３等に示される、有機ＥＬパネル１００に固定された座標軸（図中、Ｘ，Ｙ，Ｚにより表されているもの）をみるとわかるように、図１の状態では、Ｘの正方向が、図中上の方から下の方に向かうのに対して、図６（Ｂ）の状態では、その逆になる。したがって、例えば、Ｎ本のデータ線６の各々に固有の番号Ｄ１，Ｄ２，Ｄ３，…を振るとすれば、図１の状態では、Ｄ１，Ｄ２，Ｄ３，…と並ぶところ、図６（Ｂ）の状態では、“同じ方向”でみるなら、ＤＮ，ＤＮ−１，ＤＮ−２，…と並ぶことになる。
図７及び図８では、このような２つの状態が概念的・視覚的に表現されている。すなわち、図８は、２次元画像表示状態を表しており、データ線６は、図中右から順に、Ｄ１，Ｄ２，Ｄ３，…と並ぶが、これがいわば“裏返された”３次元画像表示状態を表す図７では、図中左から順に、Ｄ１，Ｄ２，Ｄ３，…と並ぶのである（つまり、図７中右から見れば、ＤＮ，ＤＮ−１，ＤＮ−２，…と並ぶ。）。
【００５１】
このようなことから、図７及び図８間にわたって同じ状態にある視認者に対して、同一内容の画像を表示しようとすれば、例えば単純には、従前、固有番号ＤＮをもつデータ線６に対して供給されていたデータ信号は、新たに、固有番号Ｄ１をもつデータ線６に対して供給される必要がある、というように、データ線６の並び順の変更に応じた、データ信号供給の順番の変更がなされる必要がある。
また、このような措置に併せて、３次元画像表示を行うための、あるいは、視差設定に必要な適当な措置も必要である。例えば、図４を参照して前述した事項を踏まえ、図８を基準に考えると、以下のようである。すなわち、２次元画像表示状態では、固有番号ＤＮ，ＤＮ−１，ＤＮ−２をもつデータ線６に対して供給されていたデータ信号に相応するデータ信号は、３次元画像表示状態では、図４中の方向ＤＲ及びＤＡに関して、いわば２分される必要がある。より具体的には、固有番号ＤＮ，ＤＮ−１，ＤＮ−２に対応していたデータ信号が、固有番号Ｄ１，Ｄ３，Ｄ５、及び、固有番号Ｄ２，Ｄ４，Ｄ６、のそれぞれに対応するデータ信号として構成され直される必要があるのである（前者が方向ＤＡ用、後者が方向ＤＲ用、となる。）。
【００５２】
３Ｄ処理回路５４３は、データ信号に係る、以上述べたような各種の処理を行う。そして、データ信号供給回路１０６は、そのような処理を経たデータ信号をデータ線６に供給する。
【００５３】
このような結果、３Ｄ表示面１２０には、３次元画像が表示されることになるが、この３次元画像の内容は、従前の２次元画像の内容と同一である。
なお、上では、図１→図６（Ａ）→図６（Ｂ）という、２次元から３次元への変更について述べたが、その逆、即ち図６（Ｂ）→図６（Ａ）→図１という、３次元から２次元への変更についても、本実施形態の有機ＥＬ装置Ａｐ１は、適切に動作することは言うまでもない。
【００５４】
以上のような構成及び作用をもつ有機ＥＬ装置Ａｐ１によれば、次のような効果が奏される。
（１）  まず、本実施形態の有機ＥＬ装置Ａｐ１によれば、既に述べたように、２次元及び３次元画像の双方の表示が、１個の装置で実現される。これにより、ユーザは、例えば画像の内容に応じて、２次元、あるいは３次元表示を選択することが可能であり、それぞれに適した表示態様で、当該画像の内容の把握を行うことができる。
【００５５】
（２）  本実施形態の有機ＥＬ装置Ａｐ１では、有機ＥＬパネル１００の回動が、図２等に示したヒンジ部Ｍ２によって実現されるので、当該有機ＥＬパネル１００の筐体Ｍ０への連結も、また当該有機ＥＬパネル１００の姿勢変更も、容易且つ好適に行われる。特に、本実施形態では、図１及び図６を参照して説明したように、２Ｄ表示面１１０が現れている状態において、回動軸Ｍ２１を回動させるだけで、３Ｄ表地面１２０が極めて容易に現れる（その逆も然りである。）。
このように、本実施形態に係る構成は、２Ｄ表示面１１０で２次元画像を、３Ｄ表示面１２０で３次元画像をそれぞれ表示するという場合の、最も好適な例の１つを提供する。
【００５６】
（３）  本実施形態の有機ＥＬ装置Ａｐ１は、有機ＥＬパネル１００及び筐体Ｍ０が一体的な外観を呈するようになっているので、意匠上極めてスマートな印象をユーザに与えることが可能であり（図１参照）、また、持ち運び上便利である、等々の利点が享受される。これは、既に述べたように、本実施形態において、有機ＥＬパネル１００が筐体Ｍ０に作り込まれた収納空間Ｍ３の内部に収められるようになっているからである。
【００５７】
（４）  また、本実施形態の有機ＥＬ装置Ａｐ１によれば、前記収納空間Ｍ３の底に、光吸収部材７０が備えられているので、ユーザが２Ｄ表示面１１０を視認するとき、３Ｄ表示面１２０から発した光がいわば外乱要因となったり、あるいは邪魔したりするようなことがない。
さらに、これに関連して、本実施形態では、３Ｄ表示面１２０を視認するとき、有機ＥＬパネル１００の周囲には、その視認の邪魔になるような、何らかの被視認物体等は存在しない（図６（Ｂ）参照）。一般に、３次元画像を視認するときには、視認者が画像表示面にだけ注視できるような状況が作り出されることが好ましい。なぜなら、前記被視認物体等が存在すると、視認者は、その存在を無視しながら画像表示面に注視する、というような、一種不自然な視認方法を強いられることになりかねないからである。これによると、視認者に、自然に立体感を感じてもらうことが困難となり、あるいは、当該視認者の眼の疲労感等を高めるおそれがある。
この点、本実施形態では、３次元画像の視認時には、図６（Ｂ）のような状況、即ち有機ＥＬパネル１００だけが見つめられるような状況が好適に作出されることから、眼の疲労等を伴わない好適な視認がなされ得るのである。
【００５８】
（５）  本実施形態の有機ＥＬ装置Ａｐ１では、図１の状態でも、図６（Ｂ）の状態でも、同一内容の画像表示がなされる。したがって、同一内容の画像について連続的な観察を行うとか、あるいは、２次元表示では表現されなかった部分を３次元表示で観察する、等といったことが可能になる。
しかも、本実施形態では、図１の状態における２次元画像の表示から、図６（Ｂ）の状態における３次元画像の表示への変更は、単に有機ＥＬパネル１００を回動させることのみによって、切換部５４１の作用により自動的に行われることから、ユーザの手を煩わせるようなことがなく、極めて便利である。
なお、図１等においては、画面の上下方向及び左右方向は、基本的にどのように設定されてもよい。例えば、図１の＋Ｘ方向又は−Ｘ方向に沿って画面の上→下が定められてもよく、あるいは、図１の＋Ｙ方向又は−Ｙ方向に沿って画面の上→下が定められてもよい。
【００５９】
以上、本発明に係る実施の形態について説明したが、本発明に係る発光装置は、上述した形態に限定されることはなく、各種の変形が可能である。
（１）  上記実施形態では、３次元画像を表示するためにレンチキュラレンズ４０が利用されているが、本発明は、かかる形態に限定されない。
例えば、図９に示すように、レンチキュラレンズ４０に代えて、パララックス・バリヤ４５が利用されてもよい。このパララックス・バリヤ４５は、２つの画素列に１つずつ対応するような、アパーチャ４５ａ，４５ａ，…を備えている。
このような構造において、例えば、図９中真ん中に示されるアパーチャ４５ａに着目すれば、当該アパーチャ４５ａの図中左側に位置する発光機能層１８Ｂからの光は方向ＤＡに向かって進行し、図中右側に位置する発光機能層１８Ｒからの光は方向ＤＲに向かって進行する。したがって、かかる構造でも、３次元画像表示が可能になる。
ちなみに、このようなことからも明らかなように、本発明は、立体画像表示方式を基本的に選ばない。どのような方式であっても、本発明は基本的に適用可能なのである。
なお、この図９に示したパララックス・バリヤ４５や上記実施形態のレンチキュラレンズ４０のいずれも２視点対応の例が示されているが、本発明はこれにも当然限定されない。４視点、８視点等々の多視点対応であって当然よい。
【００６０】
（２）  上記各実施形態では、ヒンジ部Ｍ２が、１個の回動軸Ｍ２１のみを備える態様となっているが、本発明は、かかる形態に限定されない。
例えば、図１０に示す有機ＥＬ装置Ａｐ２のように、第１回動軸Ｍ２０１及び第２回動軸Ｍ２０２という、２個の回動軸をもつヒンジ部Ｍ２０が備えられてよい。このうち、第１回動軸Ｍ２０１は、上記実施形態の回動軸Ｍ２１とほぼ同じ機能を果たすことが図から明らかである。ただ、両者の取り付け場所は異なっている。すなわち、上記実施形態の回動軸Ｍ２１は、筐体Ｍ０の短辺のほぼ全部に沿うように配置されているのに対し、図１０の第１回動軸Ｍ２０１は、筐体Ｍ０の長辺の一部に沿うように配置されている（なお、この点に関しては、後述の（３）参照）。
【００６１】
一方、第２回動軸Ｍ２０２は、図１０に示すように、第１回動軸Ｍ２０１と直交するように取り付けられており、かつ、当該第１回動軸Ｍ２０１とは独立に回動可能となっている（図中符号Ｂｒ参照）。
【００６２】
このような図１０の構造によれば、有機ＥＬパネル１００の筐体Ｍ０への連結も、また当該有機ＥＬパネル１００の姿勢変更も、上記実施形態に劣らず好適になる。特に、かかる構造の場合、有機ＥＬパネル１００の姿勢変更に関する自由度は非常に増大するので、例えば、有機ＥＬ装置Ａｐ２の設置姿勢が、３次元画像を視認するために、ある所定の状態に維持されることが強制されるとか、あるいは、視認者に無理な姿勢を強いるとか、といった不具合は殆ど発生しない。
【００６３】
（３）  上記実施形態では、図１及び図６（Ｂ）の状態間で、データ線６の並びに変更が生じる場合について説明しているが、本発明は、かかる形態に限定されない。
例えば、前記の図１０に即して言うと、この構造では、上述のように、第１回動軸Ｍ２０１が、いわば上記実施形態の回動軸Ｍ２１と直交する関係で配置されるようになっている。したがって、両者間で有機ＥＬパネル１００の取り付け方向に変わりがない（＝閉じた状態で、データ線６が筐体Ｍ０の短辺に平行であり、走査線３が長辺に平行である）なら、図１０の場合は、有機ＥＬパネル１００の開閉状態に応じて、データ線６の並びが変わるのではなく、走査線３の並びが変わることになる。図１０に示した記号３１，３２，３３…を用いれば、閉状態では、図中“下”の方から順に、Ｍ本の走査線３が、記号３１，３２，３３…の順番に並ぶことになるが、開状態では、図中“上”の方から順に、当該の順番に並ぶ（図中下の方からは３Ｍ，３Ｍ−１，３Ｍ−２…の順番に並ぶ）ことになるのである。
このように、ヒンジ部の構造等によって、有機ＥＬパネル１００に係る「姿勢の変更」には、様々なものが想定され得る。そして、それに応じながら、なお「同一内容」の画像を表示しようとするなら、それに応じた、データ信号の供給、あるいは、前記選択信号（走査線３を駆動する信号）の供給等の適切な実行を含みつつ、全有機ＥＬ素子８を制御する必要がある。
本発明は、そのような場合すべてを、その範囲内に収める。
【００６４】
（４）  いま述べた、様々な「姿勢の変更」に関して更に、上記実施形態では、有機ＥＬパネル１００が回動することで姿勢変更する態様について説明しているが、本発明は、かかる形態に限定されない。
すなわち、有機ＥＬパネル１００は、必ずしも、回動可能である必要はない。例えば、図１１に示す有機ＥＬ装置Ａｐ３のように、有機ＥＬパネル１００が筐体Ｍ０に固着されてしまっていてもよい。このような場合であっても、図１１（Ａ）の状態から、図１１（Ｂ）の状態（この状態は、図１１（Ａ）の有機ＥＬ装置Ａｐ３の全体を表裏ひっくり返した状態に該当する。）へと移行させれば、有機ＥＬパネル１００が、視認者に対して、その姿勢を変更したといえるからである。なお、図１１（Ｂ）では、視認者に対して、光ＬＰが出射する２Ｄ表示面１１０が対向している。
【００６５】
より詳細に、この図１１に示す有機ＥＬ装置Ａｐ３は、前述した図１１（Ａ）及び（Ｂ）間のような状態遷移のほか、図１１（Ａ）の状態から図１１（Ｃ）の状態への移行も可能である。この場合の状態遷移は、筐体Ｍ０の一部を覆うように備えられたカバー部材Ｍ４が、筐体Ｍ０の表面及び側面に沿ってスライド移動することによっている（図１１（Ｃ）中の符号Ｃｓ参照）。これにより、光ＬＣが出射する３Ｄ表示面１２０が外界に露出することが可能になる。
結局、図１１（Ａ）乃至（Ｃ）に示す有機ＥＬ装置Ａｐ３によれば、２Ｄ表示面１１０の外界への露出は、図１１（Ｂ）の状態において実現され、３Ｄ表示面１２０のそれは、図１１（Ｃ）の状態において実現されることになる。上記実施形態で説明した「図１→図６（Ａ）→図６（Ｂ）」（又はその逆）といった言い方に倣うなら、この場合においては、「図１１（Ｂ）→図１１（Ａ）→図１１（Ｃ）」（又はその逆）となる。
いずれにせよ、この場合においても、２Ｄ表示面１１０又は３Ｄ表示面１２０を、視認者に対向させることができる。そして、このような場合であっても、前述した実施形態において奏された作用効果と本質的に相違ない作用効果が奏されることは明白である。
また、この場合でも、加速度センサ、あるいは光センサ等の適当なセンサを利用することにより、上記実施形態の切換部５４１と同様の作用、即ち画像表示の自動切換えを実行することもできる。
【００６６】
（５）  上記実施形態では、光吸収部材７０が、収納空間Ｍ３の底に備えられる態様について説明しているが、本発明は、かかる形態に限定されない。
例えば、前記の図１１に即して言うと、この構造では、光吸収部材７１が、図１１（Ｄ）に示すように、カバー部材Ｍ４に備えられている。なお、このカバー部材Ｍ４は、同図に示すように、板状部Ｍ４１と、この板状部Ｍ４１の両側辺に沿い且つ該板状部Ｍ４１の面に対して垂直に立つ側壁部Ｍ４２とをもつ。光吸収部材７１は、板状部Ｍ４１の、いわば裏面に貼り付けられている。
かかる構成により、図１１（Ｂ）の状態、即ち２Ｄ表示面１１０が視認者に対向する状態においては、３Ｄ表示面１２０が光吸収部材７１に対向する。したがって、上記実施形態と同様、２Ｄ表示面１１０の視認にあたって、３Ｄ表示面１２０から出射する光が邪魔になるようなことはない。なお、図１１のような形態では、視認者は、有機ＥＬ装置Ａｐ３における外観上の一体性を保持したまま、２次元画像も３次元画像も視認することができる。
【００６７】
（６）  上記実施形態では、図１及び図６（Ｂ）の状態間の遷移、即ち有機ＥＬパネル１００の回動が行われるだけで、自動的に、２次元・３次元間の画像表示切換が行われるようになっているが、本発明は、かかる形態に限定されない。
例えば、当該切換は、手動により行われてもよい。視認者ないしユーザは、例えば、操作部Ｍ１を通じて、その意思を装置側に伝えることができる（なお、この場合、本実施形態に係る操作部Ｍ１は、本発明にいう「手動スイッチ」の一具体化例となる。）。
このような手動操作による画像表示切換が行われる場合については、特に有機ＥＬパネル１００の姿勢にこだわる必要がないこともあり得るから、手動操作に係る指令があれば、当該姿勢の如何にかかわらず、常に、画像表示切換が行われるようになっていてもよい。また、手動操作による切換と、自動切換とが並存されてもよい。
【００６８】
（７）  上記実施形態では、有機ＥＬ装置Ａｐ１が、全体的に見て、外観上、携帯情報端末（ＰＤＡ：Personal Digital Assistants）のような形態をとっている場合について説明しているが、本発明は、これにも限定されない。本発明に係る「発光装置」は、以下に述べるような、各種の具体的形態をとりうる。
【００６９】
（７-１）  図１２は、モバイル型のパーソナルコンピュータの構成を示す斜視図である。パーソナルコンピュータ２０００は、各種の画像を表示する有機ＥＬパネル１００と、電源スイッチ２００１やキーボード２００２が設置された本体部２０１０とを具備する。
（７-２）  図１３は、携帯電話機の構成を示す斜視図である。携帯電話機３０００は、複数の操作ボタン３００１およびスクロールボタン３００２と、各種の画像を表示する有機ＥＬパネル１００とを備える。スクロールボタン３００２を操作することによって、有機ＥＬパネル１００に表示される画面がスクロールされる。
以上の図１２及び図１３の場合、有機ＥＬパネル１００は、各図に示す太線矢印に従って表裏反転する。図１２及び図１３では、このような回転運動により、有機ＥＬパネル１００の姿勢が変わる。
【００７０】
（７-３）  図１４は、上記実施形態とは異なる具体例たる携帯情報端末の構成を示す斜視図である。携帯情報端末４０００は、複数の操作ボタン４００１および電源スイッチ４００２と、各種の画像を表示する有機ＥＬパネル１００とを備える。電源スイッチ４００２を操作すると、住所録やスケジュール帳といった様々な情報が有機ＥＬパネル１００に表示される。この図１４の場合、有機ＥＬパネル１００は、同図に示す一点鎖線を軸とし、同図に示す矢印に従って回転する（図中破線参照）。図１４では、このような回転運動により、有機ＥＬパネル１００の姿勢が変わる。
【００７１】
（７-４）  図１５は、カーナビゲーション装置の構成を示す図である。カーナビゲーション装置５０００は、複数の操作ボタン５００１と、各種の画像を表示する有機ＥＬパネル１００とを備える。操作ボタン５００１を操作すると、経路情報を含む道路地図や、渋滞情報、あるいは、お勧め観光スポット等の様々な情報（以下、「運行関連情報」という。）が有機ＥＬパネル１００に表示される。この図１５の場合、有機ＥＬパネル１００は、同図に示す太線矢印に従って回転（表裏反転）する。図１５では、このような回転運動により、有機ＥＬパネル１００の姿勢が変わる。
なお、このようなカーナビゲーション装置５０００では、有機ＥＬパネル１００を立体画像表示のために用いるのではなくて、運転席５１００及び助手席５２００に座る各人に別々の画像を表示するために用いることが可能である。すなわち、有機ＥＬパネル１００あるいはカーナビゲーション装置５０００を、「二画像表示装置」として運用するのである。ここでいう二画像表示装置とは、図４における方向ＤＲに進む光が運転席５１００側の画像を、方向ＤＡに進む光が助手席側の画像を、それぞれ構成するように、方向ＤＲ及びＤＡの調整、あるいは単体レンズ４２の形状調整等が行われた装置をいう。
この場合においては、運転席５１００に座る運転手に対して表示される画像の内容と、助手席５２００に座る同乗者に対して表示される画像の内容とを異ならせることができる。好ましくは（特に、当該自動車の運行中は）、運転席５１００の側には前記運行関連情報に係る画像が、助手席５２００の側にはＤＶＤ、ビデオテープ、あるいはテレビ受像信号等に基づく動画像等が、それぞれ表示されるとよい。
【００７２】
本発明に係る「発光装置」は、図１２から図１５に例示した機器のほか、デジタルスチルカメラ、テレビ、ビデオカメラ、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルといった各種の具体的態様をとりうる。
【図面の簡単な説明】
【００７３】
【図１】本発明の本実施形態に係る有機ＥＬ装置の斜視図である。
【図２】図１のＡＡ’線断面図である。
【図３】図１に示す有機ＥＬパネルの構成を示す分解斜視図である。
【図４】図１に示す有機ＥＬパネルの内部構造を示す断面図である。
【図５】図３に示す表示面切換回路の内部構成を示すブロック図である。
【図６】図１に示す有機ＥＬパネルの姿勢変更の様子を示す図であって、（Ａ）は、図１の状態から有機ＥＬパネルが一定程度開いた状態、（Ｂ）は、完全に開いた状態を表している。
【図７】３次元画像表示状態における、データ線の並びの順番を示す説明図である。
【図８】２次元画像表示状態における、データ線の並びの順番を示す説明図である。
【図９】図４と同趣旨の図であって、同図におけるレンチキュラレンズに代えて、パララックス・バリヤを備えた構造を示す断面図である。
【図１０】図１とは異なる態様に係る有機ＥＬ装置の斜視図である。
【図１１】図１及び図１０とは異なる態様に係る有機ＥＬ装置の斜視図であって、（Ａ）は常態、（Ｂ）は（Ａ）の状態を表裏反転させた状態、（Ｃ）は（Ａ）の状態からカバー部材をスライド移動させた状態、を表している。なお、（Ｄ）はカバー部材のみの斜視図である。
【図１２】図１、図１０及び図１１とは異なる態様に係る発光装置（パーソナルコンピュータ）を示す斜視図である。
【図１３】図１及び図１０乃至図１２とは異なる態様に係る発光装置（携帯電話機）を示す斜視図である。
【図１４】図１及び図１０乃至図１３とは異なる態様に係る発光装置（携帯情報端末）を示す斜視図である。
【図１５】図１及び図１０乃至図１４とは異なる態様に係る発光装置（カーナビゲーション装置）を示す図である。
【符号の説明】
【００７４】
Ａｐ１，Ａｐ２，Ａｐ３……有機ＥＬ装置、Ｍ０……筐体、Ｍ１……操作部、Ｍ２，Ｍ２０……ヒンジ部、Ｍ３……収納空間、Ｍ４……カバー部材、７０，７１……光吸収部材、１００……有機ＥＬパネル、１００Ａ……引っかけ孔、１１０……２Ｄ表示面、１２０……３Ｄ表示面、１０……素子基板、２０……封止基板、ＪＢ……接着剤、４０……レンチキュラレンズ、４２……単体レンズ、４５……パララックス・バリヤ、４５ａ……アパーチャ、８（＝８Ｒ，８Ｇ，８Ｂ）……有機ＥＬ素子、１３……画素電極、１８（＝１８Ｒ，１８Ｇ，１８Ｂ）……発光機能層、５……対向電極、３４０……隔壁、５３……駆動回路、５４……表示面切換回路、５４１……切換部、５４２……２Ｄ処理回路、５４３……３Ｄ処理回路、１０３……走査線駆動回路、１０６……データ信号供給回路、３……走査線、６……データ線
【図１】
0005157538.tif 000002
【図２】
0005157538.tif 000003
【図３】
0005157538.tif 000004
【図４】
0005157538.tif 000005
【図５】
0005157538.tif 000006
【図６】
0005157538.tif 000007
【図７】
0005157538.tif 000008
【図８】
0005157538.tif 000009
【図９】
0005157538.tif 000010
【図１０】
0005157538.tif 000011
【図１１】
0005157538.tif 000012
【図１２】
0005157538.tif 000013
【図１３】
0005157538.tif 000014
【図１４】
0005157538.tif 000015
【図１５】
0005157538.tif 000016